(57)【要約】【課題】視聴者が視聴できるＣＭを必要以上に制限することなく、然も、特定のＣＭについてはその広告商品もしくはサービスについての有用な詳細情報が自動的に表示されるように構成された表示装置を提供する。【解決手段】本発明は、広告データ（ＣＭ）に対して、追加情報を付加させるとともに、広告データＩＤを付加させ、表示装置であるテレビ受像機にもテレビ受像機ＩＤを設けて、テレビ受像機ＩＤと広告データＩＤとが少なくとも部分的に一致している場合は、広告データ（ＣＭ）に上記追加情報を重畳させて表示する一方、テレビ受像機ＩＤと広告データＩＤとが一致しない場合には、上記追加情報を除いたかたちで広告データを表示する。すなわち、上記追加情報は、選択的に表示され、且つ、表示される場合にあってはテレビ受像機のユーザーによる要求を必要とせず自動的に画面に表示されるように構成されている。【選択図】図１
2011124720.tif 000002
【特許請求の範囲】
【請求項１】
広告データを含むデジタル放送を受信して表示する表示装置であって、
被広告物の情報を識別する広告データＩＤが付加された上記広告データであって、当該被広告物に関する追加情報が多重化された上記広告データを受信する受信手段と、
上記表示装置に登録された表示装置ＩＤを記憶する記憶手段と、
上記表示装置ＩＤと、上記受信手段が受信した広告データに付加された上記広告データＩＤとが一致しているか否かを判別する判別手段と、
上記受信手段が受信した上記広告データを表示する表示手段とを備えており、
上記表示手段は、
上記判別手段によって同一であると判別された上記広告データＩＤが付加された広告データとともに、当該広告データに含まれる上記追加情報を表示し、
上記判別手段によって同一でないと判別された上記広告データＩＤが付加された広告データを、当該広告データに含まれる上記追加情報を除いて表示するように構成されていることを特徴とする表示装置。
【請求項２】
上記表示装置ＩＤには、上記表示装置を製造した製造メーカーを識別するＩＤが含まれていることを特徴とする請求項１に記載の表示装置。
【請求項３】
上記表示装置ＩＤは、上記表示装置の機種を識別するＩＤであることを特徴とする請求項１または２に記載の表示装置。
【請求項４】
上記追加情報には、当該追加情報を付加している上記広告データにおいて広告されている被広告物を提供するメーカーのサービスセンターへの連絡先を示す情報が含まれることを特徴とする請求項２または３に記載の表示装置。
【請求項５】
上記追加情報には、上記表示装置の不具合情報、および当該不具合への対処方法を説明する情報が含まれることを特徴とする請求項２から４までの何れか１項に記載の表示装置。
【請求項６】
上記追加情報には、上記表示装置の周辺機器または付属品を紹介する情報が含まれることを特徴とする請求項２または３に記載の表示装置。
【請求項７】
広告データを含むデジタル放送を受信して表示する表示装置の表示方法であって、
被広告物の情報を識別する広告データＩＤが付加された上記広告データであって、当該被広告物に関する追加情報が多重化された上記広告データを受信する受信工程と、
上記表示装置に登録された表示装置ＩＤを記憶する記憶工程と、
上記表示装置ＩＤと、上記受信工程で受信した広告データに付加された上記広告データＩＤとが一致しているか否かを判別する判別工程と、
上記受信工程で受信した上記広告データを表示する表示工程とを含み、
上記表示工程では、
上記判別工程によって同一であると判別された上記広告データＩＤが付加された広告データとともに、当該広告データに含まれる上記追加情報を表示し、
上記判別工程によって同一でないと判別された上記広告データＩＤが付加された広告データを、当該広告データに含まれる上記追加情報を除いて表示するように構成されていることを特徴とする表示方法。
【請求項８】
請求項１〜６のいずれか１項に記載の表示装置を動作させるプログラムであって、コンピュータを上記の各手段として機能させるためのプログラム。
【請求項９】
請求項８に記載のプログラムを記録しているコンピュータ読み取り可能な記録媒体。
【発明の詳細な説明】
【技術分野】
【０００１】
本発明は、番組データと広告データとからなるデジタル放送信号を受信して表示する表示装置、表示方法、プログラム、および、記録媒体に関する。
【背景技術】
【０００２】
近年、衛星などを使用して画像信号、オーディオ信号等マルチメディア・データを配信するデジタル放送が普及している。
【０００３】
デジタル放送システムは、単にテレビジョン放送を視聴するということにとどまらず、多くのチャンネル数による大容量のデジタルデータの伝送システムとして利用することが可能である。すなわち、デジタル放送の受信機は、映像・音声データ以外にその番組や視聴者に関連した契約情報等や、パーソナルコンピュータ用のデータ等を多重化して送出するデジタルデータの受け口としての機能を有している。
【０００４】
このようなデジタル放送システムにおいては、番組に関連する情報を多重放送することによって更に番組の付加価値を高めることができるようになされているが、番組中に挿入される所謂ＣＭと称される広告・宣伝情報の映像・音声については、あくまでも番組の一部として配信されるのみであった。その結果、広告・宣伝情報の対象となる商品、サービスと無関係に視聴者に広告・宣伝情報が配信されたり、受け手である個々の視聴者の意志にかかわらず一方的に商品が広告・宣伝されたりしてしまう問題点があった。
【０００５】
そこで、数多いＣＭのなかから特定のＣＭのみを視聴することができるようにした技術が開発されている。
【０００６】
特許文献１は、このような技術を開示している。具体的には、特許文献１では、広告される商品またはサービスが対象とする視聴者層を識別するターゲットＩＤが付加された広告データを放送信号に対して多重化し、視聴者に配信する送信側装置と、ターゲットＩＤを含む広告データが多重化された放送信号を受信し、予め登録されている視聴者属性とターゲットＩＤとを照合し、両者が一致する広告データを選択する受信装置とからなる広告データ放送システムを提供している。また、特許文献１では、別の広告データ放送システムとして、広告データと広告に関連する詳細情報とのリンク方法を示すリンク情報が付加された広告データと、詳細情報とを、放送信号に対して多重化し、視聴者に配信する送信側装置と、放送信号を受信し、視聴者が詳細情報を要求する時に、リンク情報を使用して放送信号から要求した詳細情報を取得する受信装置とからなるシステムについても開示している。
【０００７】
また、特許文献２にも、上述した技術の１つとして、広告等に広告を識別するためのＣＭ識別ＩＤを付加し、このＣＭ識別ＩＤを携帯端末等で取得した後、ＣＭ識別ＩＤをデジタル放送受信機に登録することによって、該当するＣＭをフィルタリングする構成が開示されている。このＣＭ識別ＩＤには、ジャンルＩＤ、企業ＩＤ、キーワード等の情報が含まれる。これによって、同ジャンル、同企業、キーワードによるフィルタリングをおこなう。
【先行技術文献】
【特許文献】
【０００８】
【特許文献１】特開平１１−１７６３３号公報（公開日１９９９年１月２２日）
【特許文献２】特開２００３−１５３１８０号公報（公開日２００３年５月２３日）
【発明の概要】
【発明が解決しようとする課題】
【０００９】
しかしながら、特許文献１および２に開示されている構成の場合、数多くあるＣＭの中から、ターゲットＩＤ（特許文献１）もしくはＣＭ識別ＩＤ（特許文献２）に一致するＣＭのみが取捨選択されて視聴される。そのため、当該ＩＤとは一致しないＣＭであるものの、視聴者が本来は見たい内容、もしくは、視聴者にとって見る価値がある内容を含むＣＭが、視聴者に視聴されないというデメリットがある。すなわち、特許文献１および２の構成では、ＣＭを見ることでその商品やサービスについて視聴者が初めて知ることができたり、当該商品やサービスに興味をもつことができたりする機会を制限してしまっているといえる。
【００１０】
また、特許文献１の構成では、視聴者に提供される商品やサービスをより詳しく説明する内容の映像および／または音声情報である広告詳細情報を、視聴者の要求に応じて、広告データに付随して提供するように構成されている。しかしながら、この構成では、視聴者は、常に、当該広告詳細情報を要求するか否かの選択に迫られ、例えばリモコンのような選択操作用の機器を常に手元に置いて視聴しなければならず、快適な視聴環境を提供しているとはいえない。
【００１１】
また、上述した各構成において、広告データに付随する詳細な情報は、その広告する商品やサービスをより詳しく説明するものにとどまり、例えば、既にその商品を保有している視聴者（商品ユーザー）にとって充分に有用な情報が提供されているとはいえない。
【課題を解決するための手段】
【００１２】
本発明は、上記の問題点に鑑みてなされたものであり、その目的は、視聴者が視聴できるＣＭを必要以上に制限することなく、然も、特定のＣＭについてはその広告商品もしくはサービスについての有用な詳細情報が自動的に表示されるように構成された表示装置、表示方法、プログラム、および、記録媒体を提供することにある。
【００１３】
すなわち、本発明に係る表示装置は、上記の課題を解決するために、
広告データを含むデジタル放送を受信して表示する表示装置であって、
被広告物の情報を識別する広告データＩＤが付加された上記広告データであって、当該被広告物に関する追加情報が多重化された上記広告データを受信する受信手段と、
上記表示装置に登録された表示装置ＩＤを記憶する記憶手段と、
上記表示装置ＩＤと、上記受信手段が受信した広告データに付加された上記広告データＩＤとが一致しているか否かを判別する判別手段と、
上記受信手段が受信した上記広告データを表示する表示手段とを備えており、
上記表示手段は、
上記判別手段によって同一であると判別された上記広告データＩＤが付加された広告データとともに、当該広告データに含まれる上記追加情報を表示し、
上記判別手段によって同一でないと判別された上記広告データＩＤが付加された広告データを、当該広告データに含まれる上記追加情報を除いて表示するように構成されていることを特徴としている。
【００１４】
上記の構成によれば、広告データを表示するに際して、上記追加情報を選択的に表示する。具体的には、広告データを表示するに際して、当該広告データの広告データＩＤが表示装置ＩＤと一致しているもしくは少なくとも一部分が一致している場合には、広告データに加えて当該追加情報を自動的に表示することができる。一方、当該広告データの広告データＩＤが表示装置ＩＤと一致していない場合は、追加情報を除いた広告データを表示する。
【００１５】
これにより、ＩＤが一致しないからといって、その広告データが一切表示されず、視聴者が視聴できる広告データ（ＣＭデータ）が必要以上に制限されるという虞がない。
【００１６】
また、上述のように、広告データＩＤが表示装置ＩＤと一致しているもしくは少なくとも一部分が一致している場合には追加情報を自動的に表示することから、追加情報の表示にあたって、視聴者による要求操作を必要としない。これにより、視聴者には、有用な追加情報を自動的に視聴する快適な環境を提供することができる。
【００１７】
一方、上記表示装置ＩＤが上記広告データＩＤと一致していない場合には、視聴者は、自身とは何ら関係ない追加情報を視聴せずに広告データのみを単に視聴すればよい。これにより、視聴者にとって無関係であるにも関わらず、画面に多数の情報（追加情報）が表示されて視覚的に不快感を覚えるような事態を回避することができる。
【００１８】
また、本発明に係る表示装置は、上記の構成に加えて、上記表示装置ＩＤには、上記表示装置を製造した製造メーカーを識別するＩＤが含まれていることが好ましい。
【００１９】
上記の構成によれば、上記広告データＩＤを、広告されている上記商品および／またはサービスを提供するメーカーを識別するＩＤとすることによって、上記表示装置の製造メーカーと同じメーカーによって提供される広告データが表示される際に、そのメーカーの追加情報を表示させることができる。
【００２０】
これにより、視聴者（表示装置のユーザー）にとって、自身が購入・保有した製品（表示装置）に関する有用な情報を知ることができる。
【００２１】
また、本発明に係る表示装置は、上記の構成に加えて、上記表示装置ＩＤが、上記表示装置の機種を含むＩＤであってもよい。
【００２２】
これにより、上記と同様に、視聴者（表示装置のユーザー）にとって、自身が購入・保有した製品（表示装置）に関する有用な情報を知ることができる。
【００２３】
また、本発明に係る表示装置は、上記の構成に加えて、上記追加情報には、当該追加情報を付加している上記広告データにおいて広告されている被広告物を提供するメーカーのサービスセンターへの連絡先を示す情報が含まれることが好ましい。
【００２４】
上記の構成によれば、視聴者は、上記表示装置ＩＤが上記広告データＩＤと一致しているもしくは少なくとも一部分が一致している場合に、その表示装置に関するカスタマーサポートを受けるために必要な最も手軽で最も初歩的な情報であるサービスセンターへの連絡先を知ることができる。
【００２５】
一方、上記表示装置ＩＤが上記広告データＩＤと一致していない場合には、視聴者は、自身とは何ら関係ないサービスセンターの連絡先を視聴せずに広告データのみを単に視聴すればよい。これにより、無関係にも関わらず、画面に多数の情報（追加情報）が表示されて視覚的に不快感を覚えるような事態を回避することができる。
【００２６】
また、本発明に係る表示装置は、上記の構成に加えて、上記追加情報には、上記表示装置の不具合情報、および当該不具合への対処方法を説明する情報が含まれることが好ましい。
【００２７】
上記の構成によれば、視聴者は、上記表示装置ＩＤが上記広告データＩＤと一致しているもしくは少なくとも一部分が一致している場合に、その表示装置に関する不具合情報、および当該不具合への対処方法を説明する情報を知ることができる。
【００２８】
一方、上記表示装置ＩＤが上記広告データＩＤと一致していない場合には、視聴者は、自身とは何ら関係ない不具合情報、および当該不具合への対処方法を説明する情報を視聴せずに広告データのみを単に視聴すればよい。これにより、無関係にも関わらず、画面に多数の情報（追加情報）が表示されて視覚的に不快感を覚えるような事態を回避することができる。
【００２９】
また、本発明に係る表示装置は、上記の構成に加えて、上記追加情報には、上記表示装置の周辺機器または上記表示装置の付属品を紹介する情報が含まれることが好ましい。
【００３０】
上記の構成によれば、視聴者は、上記表示装置ＩＤが上記広告データＩＤと一致しているもしくは少なくとも一部分が一致している場合に、その表示装置の周辺機器または付属品を紹介する情報を知ることができる。これにより、視聴者にとって更に快適な視聴環境を実現するためのサポートを提供することができる。
【００３１】
また、本発明は、広告データを含むデジタル放送を受信して表示する表示装置の表示方法であって、上記の課題を解決するために、
被広告物の情報を識別する広告データＩＤが付加された上記広告データであって、当該被広告物に関する追加情報が多重化された上記広告データを受信する受信工程と、
上記表示装置に登録された表示装置ＩＤを記憶する記憶工程と、
上記表示装置ＩＤと、上記受信工程で受信した広告データに付加された上記広告データＩＤとが一致しているか否かを判別する判別工程と、
上記受信工程で受信した上記広告データを表示する表示工程とを含み、
上記表示工程では、
上記判別工程によって同一であると判別された上記広告データＩＤが付加された広告データとともに、当該広告データに含まれる上記追加情報を表示し、
上記判別工程によって同一でないと判別された上記広告データＩＤが付加された広告データを、当該広告データに含まれる上記追加情報を除いて表示するように構成されていることを特徴としている。
【００３２】
上記の構成によれば、広告データを表示するに際して、上記追加情報を選択的に表示する。具体的には、広告データを表示するに際して、当該広告データの広告データＩＤが表示装置ＩＤと一致しているもしくは少なくとも一部分が一致している場合には、広告データに加えて当該追加情報を自動的に表示することができる。一方、当該広告データの広告データＩＤが表示装置ＩＤと一致していない場合は、追加情報を除いた広告データを表示する。
【００３３】
これにより、ＩＤが一致しないからといって、その広告データが一切表示されず、視聴者が視聴できる広告データ（ＣＭデータ）が必要以上に制限されるという虞がない。
【００３４】
また、上述のように、広告データＩＤが表示装置ＩＤと一致しているもしくは少なくとも一部分が一致している場合には追加情報を自動的に表示することから、追加情報の表示にあたって、視聴者による要求操作を必要としない。これにより、視聴者には、有用な追加情報を自動的に視聴する快適な環境を提供することができる。
【００３５】
一方、上記表示装置ＩＤが上記広告データＩＤと一致していない場合には、視聴者は、自身とは何ら関係ない追加情報を視聴せずに広告データのみを単に視聴すればよい。これにより、視聴者にとって無関係であるにも関わらず、画面に多数の情報（追加情報）が表示されて視覚的に不快感を覚えるような事態を回避することができる。
【００３６】
なお、上記表示装置は、コンピュータによって実現してもよい。この場合、コンピュータを上記各手段として動作させることにより上記表示装置をコンピュータにおいて実現するプログラム、およびそのプログラムを記録したコンピュータ読み取り可能な記録媒体も、本発明の範疇に入る。
【発明の効果】
【００３７】
以上のように、本発明に係る表示装置は、以上のように、
番組データと広告データとからなるデジタル放送を受信して表示する表示装置であって、
被広告物の情報を識別する広告データＩＤが付加された上記広告データであって、当該被広告物に関する追加情報が多重化された上記広告データを受信する受信手段と、
上記表示装置に登録された表示装置ＩＤを記憶する記憶手段と、
上記表示装置ＩＤと、上記受信手段が受信した広告データに付加された上記広告データＩＤとが一致しているか否かを判別する判別手段と、
上記受信手段が受信した上記広告データを表示する表示手段とを備えており、
上記表示手段は、
上記判別手段によって同一であると判別された上記広告データＩＤが付加された広告データとともに、当該広告データに含まれる上記追加情報を表示し、
上記判別手段によって同一でないと判別された上記広告データＩＤが付加された広告データを、当該広告データに含まれる上記追加情報を除いて表示するように構成されていることを特徴としている。
【００３８】
これにより、視聴者が視聴できるＣＭを必要以上に制限することなく、然も、特定のＣＭについてはその広告商品もしくはサービスについての有用な詳細情報が自動的に表示されるように構成された表示装置を提供することができる。
【図面の簡単な説明】
【００３９】
【図１】本発明の一実施形態に係るテレビ受像機（表示装置）の構成を示したブロック図である。
【図２】図１に示したテレビ受像機（表示装置）の主要部の構成を示したブロック図である。
【図３】図１に示したテレビ受像機（表示装置）の主要部で行われる処理のフローチャートを示した図である。
【図４】図１に示したテレビ受像機（表示装置）の表示例を示した図である。
【図５】図１に示したテレビ受像機（表示装置）の表示例を示した図である。
【図６】図１に示したテレビ受像機（表示装置）の主要部の別例の構成を示したブロック図である。
【図７】図６に示した、テレビ受像機（表示装置）の主要部で行われる処理のフローチャートを示した図である。
【図８】図１に示したテレビ受像機（表示装置）の主要部の別例の構成を示したブロック図である。
【図９】図８に示した、テレビ受像機（表示装置）の主要部で行われる処理のフローチャートを示した図である。
【発明を実施するための形態】
【００４０】
本発明に係る一実施形態について、図１から図４を参照して以下に説明する。本発明に係る表示装置は、テレビ受像機として使用することができる。また本発明は、特に、表示装置における、広告データ（所謂ＣＭ）を表示する広告データ表示機構に特徴を有する。
【００４１】
そこで、まずは全体構成として画像表示装置の一例であるテレビ受像機を説明し、続いて、広告データ表示機構の詳細について説明する。
【００４２】
［テレビ受像機の構成］
図１は、本発明の一実施形態に係るテレビ受像機（表示装置）の構成を示したブロック図である。本実施形態におけるテレビ受像機は、追加情報が付加された広告データと、テレビ受像機との間で、所定の条件を満たす場合にのみ、広告データとともに、当該広告データに付加された追加情報を表示し、当該条件を満たさない場合には、追加情報を除いたかたちで広告データを表示することを可能にしている。
【００４３】
図１において、１０は、例えば、画面サイズ１６：９（１９２０×１０８０ドット）の液晶表示装置２２を有するテレビ受像機の全体を示している。このテレビ受像機１０は、バス５１に接続されたＣＰＵ５０、メモリ７を有しており、このテレビ受像機１０の動作は、ＣＰＵ５０及びメモリ７に記憶された各種の制御プログラムにより制御される。すなわち、この図１に示されたテレビ受像機では、ＣＰＵ５０を含むコンピュータ・システムによって制御されており、テレビ受像機をコンピュータ・システムによって動作させるためのプログラムはメモリ７に記憶されている。
【００４４】
メモリ７（記憶手段）は、通常、ＲＡＭによって構成されるが、一部にＲＯＭを含んでいても良い。また、書き換え可能なフラッシュメモリ等を含んでいても良い。メモリ７には、ＣＰＵを動作させるためのＯＳや各種の制御ソフト等が記憶され、放送波を介して受信したＥＰＧデータ等の番組情報に関するデータ、電子番組表や操作に関する情報等をオンスクリーン（ＯＳＤ）表示する際に必要となるＯＳＤ用画像データ等が記憶されている。また、メモリ７は、各種制御動作に必要なワークメモリとして働くワーク領域を有している。
【００４５】
テレビ受像機１０には、デジタルチューナー部１４（受信手段）のほかに、アナログチューナー部１２が設けられており、アナログ放送も受信可能とされている。また、外部入力部３１には、ＨＤＤ、ＳＤカード等の固体メモリ、ＢＤ（ブルーレイディスク）、ＤＶＤ、ＣＤ等のディスク装置等、種々の外部機器３０が接続可能とされており、更に、テレビ受像機１０の本体内にもＢＤ／ＤＶＤ／ＣＤの記録／再生部３２が内蔵されている。更に、ＩＰ放送チューナー部２３が備えられており、ＩＰ放送の受信も可能とされている。
【００４６】
テレビ受像機１０は、このほか、ＡＶスイッチ部１３、デジタル復調部１５、分離部（ＤＭＵＸ）１６、ビデオデコード／キャプチャ部１７、ビデオセレクタ部１８、映像処理部１９、加算回路２０、表示制御部２１、液晶表示装置２２、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部３５を有している。テレビ受像機１０には、更に、周囲の明るさを検出するための光センサ（ＯＰＣセンサ）３８が設けられている。
【００４７】
アナログチューナー部１２は、アナログ放送受信用のアンテナ１１を介して受信するアナログテレビ放送信号を選局するもので、選局部３３からの選局指示に応じて選局をおこなう。アナログチューナー部１２からの受信信号は、ＡＶスイッチ部１３において、音声信号と映像信号とに分離され、映像信号はビデオセレクタ部１８に入力され、音声信号はオーディオセレクタ部２６に入力される。
【００４８】
デジタルチューナー部１４は、デジタル放送受信用アンテナ４０を介して受信するデジタルテレビ放送信号を選局するもので、選局部３３からの選局指示に応じて受信するチャンネルの選局をおこなう。デジタルチューナー部１４からの受信信号は、デジタル復調部１５にて復調され、分離部（ＤＭＵＸ）１６に送られる。
【００４９】
ＩＰ放送チューナー部２３は、電話回線・ＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００５０】
分離部（ＤＭＵＸ）１６は、デジタル復調部１５またはＩＰ放送チューナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送波信号は、必要に応じてＣＰＵ５０による書き込み制御によりメモリ７に記録される。
【００５１】
ビデオデコード／キャプチャ部１７は、分離部（ＤＭＵＸ）１６によって分離された映像データをデコードしたり、映像データに含まれるビデオ情報を静止画としてキャプチャしたりする。上記ビデオデコード／キャプチャ部１７によってデコードされた映像信号は、ビデオセレクタ部１８に送られる。
【００５２】
ビデオセレクタ部１８には、既に説明したとおり、アナログチューナー部１２からの映像信号と、ビデオデコード／キャプチャ部１７によってデコードされた映像信号とが入力されており、また、外部入力部３１からの映像信号も入力されている。ビデオセレクタ部１８は、ＣＰＵ５０からの制御信号により、これらの入力映像信号から１つの映像信号を選び、アナログチューナー部１２からの映像信号もしくは外部入力部３１からの映像信号を選んだ場合は当該映像信号を映像処理部１９に送る。一方、ビデオデコード／キャプチャ部１７によってデコードされた映像信号を選んだ場合は当該映像信号を、ＣＭ処理部１に送る。本発明の特徴的構成である広告データ表示機構は、主に、このＣＭ処理部１において実現されている。ＣＭ処理部１の詳細については後述するが、ＣＭ処理部１から出力される映像信号は、映像処理部１９に送られる。
【００５３】
映像処理部１９では、ビデオセレクタ部１８もしくはＣＭ処理部１から入力された映像信号に対して各種の映像処理をおこなう。例えば、ノイズリダクションの処理、シャープネスの調整、コントラストの調整等の映像処理をおこない、液晶表示装置２２に対して最適な映像信号となるように映像データを変換する。
【００５４】
表示制御部２１は、受信した映像データを液晶表示装置２２に表示させるための駆動回路を含む部分であり、加算回路２０によって加算された、ＥＰＧ／ＯＳＤ／予約処理部２４からの電子番組表（ＥＰＧ；Electronic Program Guide）データ、或いは、ＯＳＤ（オン・スクリーン・ディスプレイ）データを、映像処理部１９からの映像データに加えて液晶表示装置２２に送る。液晶表示装置２２では、送られてきた映像データを画面上に表示する。
【００５５】
オーディオデコード部２５は、分離部（ＤＭＵＸ）１６によって分離された音声データをデコードするものである。オーディオデコード部２５は、デコードした音声信号をオーディオセレクタ部２６に送る。
【００５６】
オーディオセレクタ部２６では、ＡＶスイッチ部１３からの音声信号、外部入力部３１からの音声信号、及び、オーディオデコード部２５からの音声信号を受け、ＣＰＵ５０からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００５７】
リモコン受光部３５は、リモートコントローラ３６（以下リモコン３６という）からの赤外線信号を受信して、上記リモコン３６からの制御信号を受け付けるためのものである。後から説明するスケーリング表示への移行、スケーリング表示時の各種ボタンの選択と決定等、視聴者からの指示は、このリモコン３６を介しておこなわれる。
【００５８】
ＥＰＧ／ＯＳＤ／予約処理部２４は、定期的に更新保存されたＥＰＧデータに基づき電子番組表を作成し、また、メモリ７に予め保存されているＯＳＤデータを描画する。上記のＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部２４は、上記の電子番組表を利用して番組の予約処理等をおこなう。
【００５９】
通信制御部３４は、電話回線、ＬＡＮ、インターネット等のネットワーク網を介して通信を確立させるように制御をおこなう。
【００６０】
以上の説明では、特に、テレビ受像機を例にして述べているが、その他にも、テレビを視聴可能とした携帯機器、例えば、携帯電話、カーナビゲーションシステム、携帯ゲーム端末機等においてテレビを受信する場合にも、以下で詳述する本発明の広告データ表示機構を適用できることは明らかである。
【００６１】
続いて、本発明の特徴的構成であるＣＭ処理部１について説明する。
【００６２】
［ＣＭ処理部］
まず、図１に示した本実施形態におけるテレビ受像機１０が受信するデジタル放送には、広告される商品および／またはサービス（被広告物）の情報を識別する広告データＩＤが付加された広告データ（ＣＭ）を含むことを前提としており、且つ、この広告データには、更に、当該商品および／またはサービスに関する追加情報が付加されていることを前提としている。
【００６３】
図１に示したＣＭ処理部１の具体的構成を、図２を用いて説明する。図２は、ＣＭ処理部１の構成を示すブロック図である。
【００６４】
ＣＭ処理部１は、図２に示すように、ＣＭ映像データ抽出部２と、ＩＤ抽出部３と、ＩＤ判別部４と、追加情報表示判定部５と、ＣＭ映像データ加工部６とを備えている。
【００６５】
（ＣＭ映像データ抽出部）
ＣＭ映像データ抽出部２には、図１において示したビデオセレクタ部１８から映像信号が送られる。この映像信号は、番組データの映像信号と、広告データの映像信号とから構成されてなる。
【００６６】
ここで、広告データとは、商品および／またはサービスを広告する情報を含んだデータのことである。
【００６７】
ＣＭ映像データ抽出部２は、入力した映像信号から広告データ（以下、ＣＭと称する場合がある）の映像信号を抽出する。例えば、入力した映像信号には予め広告データのある場所が定義されており、その定義された場所から広告データの映像信号を取得したり、広告データの映像信号にヘッダ（開始信号）を入れておき、それを検出して、広告データの映像信号を取得したりすればよい。この広告データの映像信号には、上述したように広告データＩＤが付加されており、且つ、追加情報が多重化されている。
【００６８】
広告データの映像信号は、ＩＤ抽出部３に送られる。
【００６９】
（ＩＤ抽出部）
ＩＤ抽出部３では、広告データの映像信号から広告データＩＤを抽出する。例えば、広告データに予め広告データＩＤのある場所が定義されており、その定義された場所から広告データＩＤを取得したり、広告データＩＤのヘッダを入れておき、それを検出して、広告データＩＤを取得したりすればよい。
【００７０】
広告データＩＤとは、広告される商品および／またはサービスの情報を識別するものであり、且つ、後述するテレビ受像機１０に登録されたテレビ受像機ＩＤに対して比較対象となるＩＤである。具体的な広告データＩＤとしては、広告される商品および／サービスを提供するメーカーを識別するＩＤ、広告される商品および／サービスを識別するＩＤ（例えば、製品番号、製品コード、ロット）、広告の長さを識別するＩＤ、広告される商品および／サービスを提供するメーカーの連絡先を識別するＩＤなどがあるが、これに限定されるものではない。
【００７１】
ここで、「テレビ受像機ＩＤに対して比較対象となるＩＤ」とは、広告データＩＤとテレビ受像機ＩＤとを比較した結果を用いて、最終段階として液晶表示装置２２（図１）に広告データを表示するに際して、広告データに付加された追加情報を表示するか否かの判定をおこなうことができるようなＩＤであることを示す。
【００７２】
すなわち、ＩＤとは、「商品説明」や「対処方法」といった過度に抽象的なものは好ましくなく、例えば後述するような、テレビ受像機１０を製造する製造メーカーを識別するＩＤや、テレビ受像機１０の機種を識別するＩＤであることが好ましい。
【００７３】
また、これらのＩＤ以外にも、後述するように、テレビ受像機１０の視聴者（ユーザー）が入力するタームをＩＤとして用いる場合もある。当該タームとは、「冷蔵庫」、「テレビ」、「空気清浄機」、「電子レンジ」、「エアコン」、「ＤＶＤデッキ」、「ＨＤレコーダ」、「ヒーター」、「洗濯機」、「掃除機」、「オーディオ機器」などが挙げられる。
【００７４】
なお、以上に例示した広告データＩＤは一例に過ぎず、本発明はこれに限定されるものではない。また、広告データＩＤは、単一で用いられてもよく、複数種を組み合わせて広告データＩＤとしてもよい。
【００７５】
抽出された広告データＩＤは、ＩＤ判別部４に送られる。
【００７６】
（ＩＤ判別部）
ＩＤ判別部４では、ＩＤ抽出部３において抽出された広告データＩＤと、テレビ受像機１０（図１）のテレビ受像機ＩＤとを比較し、両者が一致しているか（同一であるか）否かを判定する。
【００７７】
ここで、上記「一致している」とは、例えば、広告データＩＤとして複数のＩＤが含まれる場合に、その複数のＩＤのうちの少なくとも一つのＩＤが一致していれば良いことをいう。
【００７８】
テレビ受像機ＩＤ（表示装置ＩＤ）は、図１に示したテレビ受像機１０のメモリ７に記録されている。テレビ受像機ＩＤは、上述したようにテレビ受像機１０（図１）を製造した製造メーカーを識別するＩＤや、テレビ受像機１０の製造番号を含むＩＤなどが挙げられる。
【００７９】
テレビ受像機ＩＤおよび広告データＩＤとして、テレビ受像機１０の製造メーカーや機種を用いるメリットは、テレビ受像機１０のユーザーの視聴環境や使用環境を整え、改善することができる点にある。具体的には、テレビ受像機１０のユーザーは、例えば、テレビ受像機１０の操作に関して未だ把握できていないようなものがあるならば、より良い視聴環境を実現するためにその操作を知りたいと思うだろうし、また、操作不能などの不測の事態が起こればユーザーはその解決に努力するだろう。そのような場合に、ユーザーは、自身で取扱説明書を読むことによって情報を得ることができる場合もあるが、本実施形態のテレビ受像機１０において製造メーカーや機種を上記ＩＤとして用いれば、そういった情報を、広告データに付加した追加情報に含めて、広告データがテレビ受像機ＩＤに表示される際にこの追加情報を自動的に表示することにより、迅速且つ簡易にユーザーに提供することを可能にしている。
【００８０】
広告データに付加される追加情報には、テレビ受像機１０の不具合情報や当該不具合への対処方法を説明する情報を含んだり、テレビ受像機１０の操作方法を説明する情報や、テレビ受像機１０の周辺機器を紹介する情報や、テレビ受像機１０の付属品を紹介する情報などを含んだりすることができる。
【００８１】
テレビ受像機１０の不具合情報や当該不具合への対処方法を説明する情報を上記追加情報として含むことにより、ユーザーは、不測の事態をいち早く解決することができる。ここで、不具合への対処方法の一つとしては、メーカーのサービスセンターの連絡先を表示することが考えられる。
【００８２】
また、これ以外にも、テレビ受像機１０の操作方法を説明する情報であったり、周辺機器および／または付属品を紹介する情報であったりを上記追加情報として含むことにより、ユーザーに対して、より良い視聴環境の実現を手助けすることができる。
【００８３】
しかしながら、上記ＩＤは、製造メーカーや機種に限定されているものではなく、上述のような、テレビ受像機１０の視聴者、すなわちテレビ受像機ＩＤのユーザー、が入力するタームをテレビ受像機ＩＤとして用いてもよい。入力には、図１に示すリモートコントローラ３６を用いることができる。
【００８４】
また、１つの広告データに対して付加する上記追加情報の数は１つ限定されるものではない。更に、１つの広告データに対して複数の追加情報を付加しておき、複数の広告データＩＤを付加して広告データＩＤごとに異なる追加情報が表示されるようにしてもよい。すなわち、広告データＩＤとして‘ＡＡＡ’と‘ＢＢＢ’を設け、‘ＡＡＡ’には‘ａａａ’を追加情報として対応させ、‘ＢＢＢ’には‘ｂｂｂ’を追加情報として対応させておく。そして、表示情報ＩＤが‘ＡＡＡ’ならば、広告データをテレビ受像機が受信し表示する際には当該広告データとともに追加情報‘ａａａ’を表示し、表示情報ＩＤが‘ＢＢＢ’ならば、広告データをテレビ受像機が受信し表示する際には当該広告データとともに追加情報‘ｂｂｂ’を表示することができるように構成してもよい。
【００８５】
ＩＤ判別部４の判別結果は、追加情報表示判定部５に送られる。
【００８６】
（追加情報表示判定部）
追加情報表示判定部５では、ＩＤ判別部４の判別結果を受け、当該結果に基づいて、ＣＭの映像データを表示するにあたり、広告データとともに上記追加情報を表示するか否かを判定し、上記追加情報を表示すると判定した場合は、広告データから追加情報を取得する。
【００８７】
すなわち、‘ＩＤ一致’との信号を追加情報表示判定部５がＩＤ判別部４から入力すると、追加情報用のＩＤに基づいて、広告データから追加情報を取得する。追加情報用のＩＤとは、追加情報の有無を識別するＩＤ、追加情報の表示位置を識別するＩＤ、追加情報量を識別するＩＤが挙げられる。
【００８８】
判定結果は、ＣＭ映像データ加工部６に送られる。
【００８９】
（ＣＭ映像データ加工部）
ＣＭ映像データ加工部６は、追加情報表示判定部５の判定結果に基づいて、広告データの映像データに上記追加情報の映像データを重畳させるように加工して、１つの映像データを作成する。
【００９０】
作成された映像データは、図１に示した映像処理部１９に送られる。
【００９１】
［広告データ表示機構］
以下に、以上の構成を具備したＣＭ処理部１において行なわれる広告データ表示機構の一連のフローを、図３を用いて説明する。
【００９２】
図３は、ＣＭ処理部１のフローチャートである。なお、図３のフローは、テレビ受像機１０（図１）の製造メーカーをテレビ受像機ＩＤとして使用した場合の態様に基づいている。
【００９３】
図３に示すように、まず、ＣＭを受信する（Ｓ１）と、ＩＤ抽出部３（図２）がＣＭ映像データから広告データＩＤを抽出する（Ｓ２）。抽出された広告データＩＤは、ＩＤ判別部４（図２）において、テレビ受像機ＩＤと比較され（Ｓ３）、一致しているか否かを判別される（Ｓ４）。
【００９４】
判別の結果、広告データＩＤとテレビ受像機ＩＤとが一致していた場合は、追加情報表示判定部５（図２）が、ＣＭデータから追加情報を取得し（Ｓ５）、ＣＭ映像データ加工部６（図２）が、追加情報が表示されるように、映像データを加工する（Ｓ６）。
【００９５】
Ｓ６において加工された映像データは、図１に示した映像処理部１９、加算回路２０、表示制御部２１を経て、液晶表示装置２２に表示される。
【００９６】
一方、Ｓ４において広告データＩＤとＩＤ判別部４（図２）とが一致しないと判別された場合には、上記追加情報を除いたかたちで広告データが、液晶表示装置２２に表示される。
【００９７】
図４は、広告データＩＤとテレビ受像機ＩＤとが一致し、広告データとともに上記追加情報が表示された状態の画面の様子を示した図である。図５は、広告データＩＤとテレビ受像機ＩＤとが一致せず、上記追加情報を除いたかたちで広告データが表示されている状態の画面の様子を示した図である。
【００９８】
以上のように、図１に示した本実施形態のテレビ受像機１０は、広告データを表示するに際して、当該広告データの広告データＩＤがテレビ受像機ＩＤと一致しているもしくは少なくとも一部分が一致している場合には、広告データに加えて当該追加情報を自動的に表示することができる。一方、当該広告データの広告データＩＤがテレビ受像機ＩＤと一致していない場合は、追加情報を除いた広告データを表示する。
【００９９】
これにより、ＩＤが一致しないからといって、その広告データが一切表示されず、視聴者が視聴できる広告データ（ＣＭ情報）が必要以上に制限されるという虞がない。
【０１００】
また、上述のように、広告データＩＤがテレビ受像機ＩＤと一致しているもしくは少なくとも一部分が一致している場合には追加情報を自動的に表示することから、追加情報の表示にあたって、視聴者による要求操作を必要としない。これにより、視聴者には、有用な追加情報を自動的に視聴する快適な環境を提供することができる。
【０１０１】
一方、テレビ受像機ＩＤが広告データＩＤと一致していない場合には、視聴者は、自身とは何ら関係ない追加情報を視聴せずに広告データのみを単に視聴すればよい。これにより、視聴者にとって無関係であるにも関わらず、画面に多数の情報（追加情報）が表示されて視覚的に不快感を覚えるような事態を回避することができる。
【０１０２】
なお、本実施形態では、追加情報として、テレビ受像機１０の不具合情報や当該不具合への対処方法を説明する情報、テレビ受像機１０の操作方法を説明する情報や、テレビ受像機１０の周辺機器および／または付属品を紹介する情報を挙げたが、本発明はこれに限定されるものではない。例えば、テレビ受像機１０であったり、その周辺機器および／または付属品であったりの新製品に関する情報でもよく、または、プレゼント情報や特売情報などであってもよい。
【０１０３】
［テレビ受像機の別例（１）］
ここで、ＣＭ処理部１の別例を図６および図７を用いて説明する。
【０１０４】
図６は、本例のＣＭ処理部１のブロック図であり、図７は、本例のＣＭ処理部１のフローチャートである。
【０１０５】
上述した実施形態との相違点は、本例では、図６に示すように、製品型番／メーカー名登録部５２と、ＩＤ変換部５３とを備えている点にある。
【０１０６】
製品型番／メーカー名登録部５２では、テレビ受像機の製品型番および／またはメーカー名が登録される。登録方法は、テレビ受像機に予め登録されていてもよいし、ユーザーが直接入力することによって登録してもよい。
【０１０７】
ＩＤ変換部５３は、製品型番／メーカー名登録部５２で登録された製品型番および／またはメーカー名を、ＩＤに変換する。
【０１０８】
ＩＤ変換部５３によって変換されたＩＤは、メモリ７に記憶される。
【０１０９】
このような、本例のＣＭ処理部１では、図７に示すように、製品型番／メーカー名が登録される（Ｓ１１）と、登録された情報のＩＤ変換がＩＤ変換部５３（図６）において行なわれ、変換されたＩＤがメモリ７（図６）に記憶される（Ｓ１２）。ＣＭが受信される（Ｓ１３）と、ＩＤ抽出部３（図６）がＣＭ映像データから広告データＩＤとして製品ＩＤおよび／またはメーカーＩＤを取得し（Ｓ１４）、ＩＤ変換部５３によって変換されたＩＤをメモリ７から取得して、製品ＩＤおよび／またはメーカーＩＤと比較され（Ｓ１５）、一致しているか否かを判別される（Ｓ１６）。判別の結果、ＩＤが一致していた場合は、追加情報表示判定部５（図６）が、ＣＭデータからテレビ受像機の製品の情報を追加情報として取得し（Ｓ１７）、ＣＭ映像データ加工部６（図６）が、追加情報が表示されるように、映像データを加工する（Ｓ１８）。
【０１１０】
Ｓ１６において加工された映像データは、図１に示した映像処理部１９、加算回路２０、表示制御部２１を経て、液晶表示装置２２に表示される。
【０１１１】
［テレビ受像機の別例（２）］
ここで、ＣＭ処理部１のもう１つの別例を図８および図９を用いて説明する。
【０１１２】
図８は、本例のＣＭ処理部１のブロック図であり、図９は、本例のＣＭ処理部１のフローチャートである。
【０１１３】
上述した実施形態との相違点は、本例では、ネットワークから上記追加情報となるデータを取得する点にある。
【０１１４】
図８に示すように、本例ではＣＭ追加データ取得部５４と、映像データ変換部５５とを備えている点が、上述した実施形態と異なっている。
【０１１５】
ＣＭ追加データ取得部５４は、図１に示したＣＰＵ５０からの制御信号を受け、通信制御部３４を介して、上記追加情報となるデータをネットワークから取得する（図９のＳ２１）。
【０１１６】
映像データ変換部５５は、ＣＭ追加データ取得部５４が取得したデータを変換して、広告データとともに表示される上記追加情報を生成する（図９のＳ２２）。
【０１１７】
一方、ＣＭが受信される（Ｓ２３）と、ＩＤ抽出部３（図８）がＣＭ映像データから広告データＩＤを取得し（Ｓ２４）、広告データＩＤとテレビ受像機ＩＤとが比較され（Ｓ２５）、一致しているか否かを判別される（Ｓ２６）。
【０１１８】
判別の結果、広告データＩＤとテレビ受像機ＩＤとが一致していた場合は、追加情報表示判定部５（図８）が、映像データ変換部５５が生成した追加情報を取得し（Ｓ２７）、ＣＭ映像データ加工部６（図８）が、追加情報が表示されるように、映像データを加工する（Ｓ２８）。
【０１１９】
Ｓ２８において加工された映像データは、図１に示した映像処理部１９、加算回路２０、表示制御部２１を経て、液晶表示装置２２に表示される。
【０１２０】
（プログラムおよび記録媒体）
最後に、テレビ受像機１０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２１】
すなわちテレビ受像機１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１２２】
この記録媒体は、上述した機能を実現するソフトウェアであるテレビ受像機１０のプログラムのプログラムコード（実行形式プログラム、中間コードプログラム、ソースプログラム）をコンピュータで読み取り可能に記録していればよい。ＴＶユニット１０およびＰＣユニット２０に、この記録媒体を供給する。これにより、コンピュータとしてのテレビ受像機１０（またはＣＰＵやＭＰＵ）が、供給された記録媒体に記録されているプログラムコードを読み出し、実行すればよい。
【０１２３】
プログラムコードをテレビ受像機１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１２４】
また、テレビ受像機１０を通信ネットワークと接続可能に構成しても、本発明の目的を達成できる。この場合、上記のプログラムコードを、通信ネットワークを介してテレビ受像機１０に供給する。この通信ネットワークはテレビ受像機１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１２５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１２６】
本発明は、テレビ受像機などの画像表示装置として使用でき、産業上の利用可能性は高い。
【符号の説明】
【０１２７】
１  ＣＭ処理部
２  ＣＭ映像データ抽出部
３  ＩＤ抽出部
４  ＩＤ判別部（判別手段）
５  追加情報表示判定部
６  ＣＭ映像データ加工部
７  メモリ（記憶手段）
１０  テレビ受像機（表示装置）
１１  アンテナ
１２  アナログチューナー部
１３  ＡＶスイッチ部
１４  デジタルチューナー部（受信手段）
１５  デジタル復調部
１６  分離部
１７  ビデオデコード／キャプチャ部
１８  ビデオセレクタ部
１９  映像処理部
２０  加算回路
２１  表示制御部
２２  液晶表示装置（表示手段）
２３  ＩＰ放送チューナー部
２４  ＥＰＧ／ＯＳＤ／予約処理部
２５  オーディオデコード部
２６  オーディオセレクタ部
２７  音声出力変換部
２８  スピーカ
３０  外部機器
３１  外部入力部
３２  記録／再生部
３３  選局部
３４  通信制御部
３５  リモコン受光部
３６  リモートコントローラ
３６  リモコン
３８  光センサ
４０  デジタル放送受信用アンテナ
５０  ＣＰＵ
５１  バス
【図１】
2011124720.tif 000003
【図２】
2011124720.tif 000004
【図３】
2011124720.tif 000005
【図４】
2011124720.tif 000006
【図５】
2011124720.tif 000007
【図６】
2011124720.tif 000008
【図７】
2011124720.tif 000009
【図８】
2011124720.tif 000010
【図９】
2011124720.tif 000011